【手続補正書】
【提出日】平成22年12月1日(2010.12.1)
【手続補正１】
【補正対象書類名】特許請求の範囲
【補正対象項目名】全文
【補正方法】変更
【補正の内容】
【特許請求の範囲】
【請求項１】
被写体を含む原画像データを取得する取得手段と、
前記原画像データから、スミアが発生したスミア領域を検出するとともに、前記スミア領域に含まれる画素のスミア量を検出するスミア検出手段と、
前記原画像データにおいて前記スミア領域に含まれる画素の輝度レベルを、前記スミア量に第１の係数をかけた第１の補正量で補正することにより、第１の画像データを生成するとともに、前記原画像データにおいて前記スミア領域に含まれる画素の輝度レベルを、前記スミア量に第２の係数をかけた第２の補正量で補正することにより、第２の画像データを生成するスミア補正手段と、
を備え、
前記第１の画像データは、画像表示用及び画像記録用の少なくとも一方のために用いられ、
前記第２の画像データは、露出制御用及び焦点調節用の少なくとも一方のために用いられ、
前記第１の係数は、前記第２の係数より小さい
ことを特徴とする撮像装置。
【請求項２】
前記スミア補正手段は、前記取得手段により取得された前記原画像データから補正量を減算することにより、画素の輝度レベルを補正する減算処理手段を含み、
前記減算処理手段は、前記原画像データにおいて前記スミア領域から前記第１の補正量を減算して前記第１の画像データを生成するとともに、前記原画像データにおいて前記スミア領域から前記第２の補正量を減算して前記第２の画像データを生成する
ことを特徴とする請求項１に記載の撮像装置。
【請求項３】
前記第２の画像データにより示される画像の一部である輝度検出領域の輝度を検出する輝度検出手段と、
前記輝度検出手段により検出された輝度に基づいて、前記取得手段の露出値を制御する露出制御手段と、
をさらに備え、
前記輝度検出手段は、前記スミア検出手段により前記スミア領域が検出された場合、前記第２の画像データにより示される画像において前記スミア領域に交差する輝度検出領域の輝度を検出する
ことを特徴とする請求項１又は２に記載の撮像装置。
【請求項４】
前記取得手段の撮像面に像を形成するための撮影光学系と、
前記第２の画像データにより示される画像の一部である焦点検出領域において前記被写体の合焦状態を検出する焦点検出手段と、
前記焦点検出手段により検出された前記被写体の合焦状態に応じて、前記撮影光学系を制御する合焦手段と、
をさらに備え、
前記スミア検出手段は、前記被写体の画像における前記スミア領域の端部を検出し、
前記スミア補正手段は、前記スミア検出手段により検出された前記スミア領域の端部が前記焦点検出領域に含まれる場合、前記原画像データにおいて前記スミア領域に含まれる画素の輝度レベルを前記第２の補正量で補正することにより前記第２の画像データを生成し、前記スミア検出手段により検出された前記スミア領域の端部が前記焦点検出領域に含まれない場合、前記原画像データにおいて前記スミア領域に含まれる画素の輝度レベルを前記第２の補正量で補正せずに、前記原画像データを前記第２の画像データとする
ことを特徴とする請求項１から３のいずれか１項に記載の撮像装置。
【請求項５】
前記被写体の動きを検出する動き検出手段をさらに備え、
前記取得手段は、前記被写体を含む複数の原画像データを取得し、
前記動き検出手段は、前記複数の原画像データを比較することにより、前記被写体の動きを検出し、
前記スミア補正手段は、
前記動き検出手段により前記被写体の動きが検出された場合、前記原画像データにおいて前記スミア領域に含まれる画素の輝度レベルを、前記第１の補正量で補正することにより、前記第１の画像データを生成するとともに、前記原画像データにおいて前記スミア領域に含まれる画素の輝度レベルを、前記第２の補正量で補正することにより、前記第２の画像データを生成し、
前記動き検出手段により前記被写体の動きが検出されなかった場合、前記原画像データにおいて前記スミア領域に含まれる画素の輝度レベルを前記第２の補正量で補正することにより、前記第１の画像データ及び前記第２の画像データをそれぞれ生成する
ことを特徴とする請求項１から４のいずれか１項に記載の撮像装置。
【請求項６】
前記スミア補正手段は、前記取得手段により取得された前記原画像データから補正量を減算することにより、画素の輝度レベルを補正する減算処理手段を含み、
前記減算処理手段は、
前記動き検出手段により前記被写体の動きが検出された場合、前記原画像データにおいて前記スミア領域から前記第１の補正量を減算して前記第１の画像データを生成するとともに、前記原画像データにおいて前記スミア領域から前記第２の補正量を減算して前記第２の画像データを生成し、
前記動き検出手段により前記被写体の動きが検出されなかった場合、前記原画像データにおいて前記スミア領域から前記第２の補正量を減算して前記第１の画像データ及び前記第２の画像データをそれぞれ生成する
ことを特徴とする請求項５に記載の撮像装置。
【請求項７】
前記第２の画像データにより示される画像の一部である輝度検出領域の輝度を検出する輝度検出手段と、
前記輝度検出手段により検出された輝度に基づいて、前記取得手段の露出値を制御する露出制御手段と、
をさらに備え、
前記輝度検出手段は、前記スミア検出手段により前記スミア領域が検出され、かつ、前記動き検出手段により前記被写体の動きが検出された場合、前記第２の画像データにより示される画像において、前記減算処理手段により補正量が減算された領域と前記スミア領域とに交差する輝度検出領域の輝度を検出する
ことを特徴とする請求項６に記載の撮像装置。
【請求項８】
取得手段が、被写体を含む原画像データを取得する取得ステップと、
スミア検出手段が、前記原画像データから、スミアが発生したスミア領域を検出するとともに、前記スミア領域に含まれる画素のスミア量を検出するスミア検出ステップと、
スミア補正手段が、前記原画像データにおいて前記スミア領域に含まれる画素の輝度レベルを、前記スミア量に第１の係数をかけた第１の補正量で補正することにより、第１の画像データを生成するとともに、前記原画像データにおいて前記スミア領域に含まれる画素の輝度レベルを、前記スミア量に第２の係数をかけた第２の補正量で補正することにより、第２の画像データを生成するスミア補正ステップと、
を備え、
前記第１の画像データは、画像表示用及び画像記録用の少なくとも一方のために用いられ、
前記第２の画像データは、露出制御用及び焦点調節用の少なくとも一方のために用いられ、
前記第１の係数は、前記第２の係数より小さい
ことを特徴とする撮像装置の制御方法。
【手続補正２】
【補正対象書類名】明細書
【補正対象項目名】００１３
【補正方法】変更
【補正の内容】
【００１３】
本発明の第１側面に係る撮像装置は、被写体を含む原画像データを取得する取得手段と、前記原画像データから、スミアが発生したスミア領域を検出するとともに、前記スミア領域に含まれる画素のスミア量を検出するスミア検出手段と、前記原画像データにおいて前記スミア領域に含まれる画素の輝度レベルを、前記スミア量に第１の係数をかけた第１の補正量で補正することにより、第１の画像データを生成するとともに、前記原画像データにおいて前記スミア領域に含まれる画素の輝度レベルを、前記スミア量に第２の係数をかけた第２の補正量で補正することにより、第２の画像データを生成するスミア補正手段とを備え、前記第１の画像データは、画像表示用及び画像記録用の少なくとも一方のために用いられ、前記第２の画像データは、露出制御用及び焦点調節用の少なくとも一方のために用いられ、前記第１の係数は、前記第２の係数より小さいことを特徴とする。
【手続補正３】
【補正対象書類名】明細書
【補正対象項目名】００１４
【補正方法】変更
【補正の内容】
【００１４】
本発明の第２側面に係る撮像装置の制御方法は、取得手段が、被写体を含む原画像データを取得する取得ステップと、スミア検出手段が、前記原画像データから、スミアが発生したスミア領域を検出するとともに、前記スミア領域に含まれる画素のスミア量を検出するスミア検出ステップと、スミア補正手段が、前記原画像データにおいて前記スミア領域に含まれる画素の輝度レベルを、前記スミア量に第１の係数をかけた第１の補正量で補正することにより、第１の画像データを生成するとともに、前記原画像データにおいて前記スミア領域に含まれる画素の輝度レベルを、前記スミア量に第２の係数をかけた第２の補正量で補正することにより、第２の画像データを生成するスミア補正ステップとを備え、前記第１の画像データは、画像表示用及び画像記録用の少なくとも一方のために用いられ、前記第２の画像データは、露出制御用及び焦点調節用の少なくとも一方のために用いられ、前記第１の係数は、前記第２の係数より小さいことを特徴とする。